(57)【要約】【課題】使用者の操作時間を短縮できる操作性の優れた波形表示装置を実現すること。【解決手段】測定波形を指定された表示モードで表示する波形表示装置において、各表示モードにおける操作頻度に基づき次の操作を予測して実行する操作予測実行手段を設けたことを特徴とするもの。【選択図】                    図１
2009109283.tif 000002
【特許請求の範囲】
【請求項１】
測定波形を指定された表示モードで表示する波形表示装置において、
各表示モードにおける操作頻度に基づき次の操作を予測して実行する操作予測実行手段を設けたことを特徴とする波形表示装置。
【請求項２】
前記表示モードは、表示画面上にカーソルを表示するカーソルモードであることを特徴とする請求項１記載の波形表示装置。
【請求項３】
前記表示モードは、表示画面上に拡大領域指定フレームで指定された波形部分を指定された拡大率で拡大表示するズームモードであることを特徴とする請求項１記載の波形表示装置。
【請求項４】
予測実行キーを、表示画面に設けたことを特徴とする請求項１記載の波形表示装置。
【請求項５】
予測実行キーを、操作パネルに設けたことを特徴とする請求項１記載の波形表示装置。
【発明の詳細な説明】
【技術分野】
【０００１】
本発明は、波形表示装置に関し、詳しくは、カーソルや拡大領域指定フレームなどの操作性の改善に関するものである。
【０００２】
オシロスコープなどの波形表示装置では、表示画面上に表示される測定波形の測定部分にカーソルを移動させて、波形の各種パラメータを測定することが行われている。
【０００３】
特許文献１には、カーソルを用いて表示画面上の波形を測定する方法について記載されている。
【０００４】
【特許文献１】特開昭６３−７０８５１号公報
【０００５】
図５は、従来の波形表示装置のフロントパネル部におけるカーソル操作機構の一例を示す構成図である。使用者がカーソルキー１を押してカーソルモードをオンにすると、図６（Ａ）に示すように、表示画面の波形表示領域Ａにはカーソル（本実施例では垂直方向にＴ１とＴ２の２本）が前回設定した位置に表示され、ソフトキー領域Ｂにはカーソルモード画面が表示され、設定値表示領域Ｃには選択されているカーソルの情報が表示されている。
【０００６】
使用者は、測定にあたり、以下のような操作を行い、これらカーソルＴ１とＴ２を図６（Ｂ）に示すように測定したい位置に移動させる。
１）移動させたいカーソルを選択
２）矢印キーで移動する桁数を調整
３）ロータリーノブでカーソルを移動
【０００７】
まず、移動させたいカーソルの選択にあたっては、ソフトキー領域Ｂに設けられているカーソル選択キーＢ１を操作して所望のカーソルＴ１またはＴ２を指定する。カーソル選択キーＢ１には、それぞれのカーソルＴ１およびＴ２の現在位置が目盛単位ｄｉｖの値で表示されるとともに選択されたカーソルＴ１またはＴ２のロータリーノブマークが反転表示され、さらに選択されたカーソルＴ１またはＴ２の現在位置の値のうち変更対象として設定されている桁が反転表示されている。
【０００８】
図６（Ａ）はカーソルＴ１を選択した状態を示し、設定値表示領域ＣにはカーソルＴ１を選択していることが表示されるとともに、カーソルＴ１の現在位置の値「−４．００」と変更対象として設定されている「小数点１桁目：０」が反転表示されている。図６（Ｂ）はカーソルＴ２を選択した状態を示し、設定値表示領域ＣにはカーソルＴ２を選択していることが表示されるとともに、カーソルＴ２の現在位置の値「−０．５３」と変更対象として設定されている「小数点２桁目：３」が反転表示されている。
【０００９】
次に、フロントパネル部の矢印キー２を操作して、選択表示されているカーソルＴ１またはＴ２の現在位置の値について、変更対象としたい桁を選択して反転表示させる。これにより、カーソルＴ１またはＴ２の移動分解能が設定される。
【００１０】
カーソルＴ１またはＴ２の移動分解能を設定した後、フロントパネル部のロータリーノブ３を操作して、選択表示されているカーソルＴ１またはＴ２を設定された分解能で所望の方向の所望の位置に移動させる。
【発明の開示】
【発明が解決しようとする課題】
【００１１】
しかし、このような従来の構成によれば、表示画面上の波形の所望の測定位置にカーソルを移動させるのにあたり、カーソルの移動距離が長い場合には、ロータリーノブ３をたくさん回したり、矢印キー２による桁数選択を複数回行わなければならず、これらのカーソル操作に時間がかかって測定作業効率を悪化させる一因になることがある。
【００１２】
このような不都合は、大量の測定データに基づく測定波形の一部を拡大領域指定フレームを移動させて指定することによりズーム表示させる場合にも、同様に発生する。
【００１３】
本発明は、このような課題を解決するものであり、その目的は、使用者の操作時間を短縮できる操作性の優れた波形表示装置を実現することにある。
【課題を解決するための手段】
【００１４】
このような課題を達成するために、本発明のうち請求項１記載の発明は、測定波形を指定された表示モードで表示する波形表示装置において、各表示モードにおける操作頻度に基づき次の操作を予測して実行する操作予測実行手段を設けたことを特徴とする。
【００１５】
請求項２記載の発明は、請求項１記載の波形表示装置において、前記表示モードは、表示画面上にカーソルを表示するカーソルモードであることを特徴とする。
【００１６】
請求項３記載の発明は、請求項１記載の波形表示装置において、前記表示モードは、表示画面上に拡大領域指定フレームで指定された波形部分を指定された拡大率で拡大表示するズームモードであることを特徴とする。
【００１７】
請求項４記載の発明は、請求項１記載の波形表示装置において、予測実行キーを、表示画面に設けたことを特徴とする。
【００１８】
請求項５記載の発明は、請求項１記載の波形表示装置において、予測実行キーを、操作パネルに設けたことを特徴とする。
【発明の効果】
【００１９】
本発明によれば、予測実行キーを操作することにより操作頻度の高い操作が予測実行されるので、使用者の操作時間を短縮できる操作性の優れた波形表示装置を実現できる。
【発明を実施するための最良の形態】
【００２０】
以下、本発明について、図面を用いて詳細に説明する。図１は本発明の一実施例を示すブロック図である。図１において、入力端子４から入力部５に入力される測定信号は、入力部５を構成するアッテネータやアンプでＡ／Ｄ変換器６が安定にデジタル信号に変換できる適正な値に調整されてＡ／Ｄ変換器６に入力され、デジタル信号に変換される。
【００２１】
また、入力端子４に入力された測定信号は、入力部５を介してトリガ生成部７にも入力される。トリガ生成部７はフロント制御部８と信号の授受を行い、入力信号が予め設定されたトリガ条件を満たした時点でトリガ信号を生成する。
【００２２】
フロント制御部８は、入力制御部８ａやシーケンス制御部８ｂなどで構成されていて、波形表示装置のフロント部に関連する各部に所定の制御信号を出力する。たとえば入力部５には減衰量やゲインをＡ／Ｄ変換器６が安定にデジタル信号に変換できる適正な値に設定するための制御信号を出力し、Ａ／Ｄ変換器６にはサンプリングクロックを出力し、トリガ生成部７にはトリガ条件設定信号を出力し、データ取込制御部９には動作タイミング信号を出力する。
【００２３】
データ取込制御部９は、メモリ制御部９ａ，転送制御部９ｂ，時間測定部９ｃ，位相測定部９ｄ，演算処理部９ｅ，カーソル生成部９ｆ、ズーム処理部９ｇなどで構成され、データメモリ１０および操作予測部１１と各種信号の授受を行うとともに、表示すべき情報を表示制御部１２に出力する。
【００２４】
すなわち、メモリ制御部９ａはデータメモリ１０との間で測定データの読み書きを制御する。転送制御部９ｂは、操作予測部１１との間でカーソルの操作予測に必要なデータや操作予測されたカーソルの位置データの授受を制御するとともに、表示すべき情報の表示制御部１２への出力転送を制御する。
【００２５】
時間測定部９ｃは表示波形のエッジやパルス幅などの注目部分の時間パラメータを測定する。位相測定部９ｄはたとえばトリガ信号と表示波形の注目部分との位相パラメータを測定する。演算処理部９ｅは、各種のデータ変換、平均値演算、複数チャンネルの波形データ間の演算処理などを行う。これらの演算結果も必要に応じてデータメモリ１０に格納される。カーソル生成部９ｆは、操作予測部１１が求めたカーソルの位置データに基づき表示すべきカーソルを生成する。ズーム処理部９ｇは、操作予測部１１が求めた拡大領域指定フレームの位置データに基づき表示すべき拡大波形を生成する。
【００２６】
操作予測部１１は、データ取込制御部９を介して、たとえばトリガ生成部７で生成出力されるトリガ信号に基づきデータメモリ１０に格納された測定データを検索する。カーソルモードの場合には、測定波形の立ち上がりエッジや立ち下がりエッジなどの一般的な波形測定にあたって操作頻度の高い測定データの位置情報をカーソルの位置データとして求め、カーソル生成部９ｆに入力する。ズームモードの場合には、全体波形の先頭部分などの一般的な波形測定にあたってズーム表示を行う頻度の高い位置情報を拡大領域指定フレームの位置データとして求め、ズーム処理部９ｇに入力する。
【００２７】
表示制御部１２は、データ取込制御部９から出力される表示すべきデータを表示メモリ１３に一旦格納するとともに、表示部１４に出力して表示させる。
【００２８】
図２は本発明に基づく波形表示装置のカーソルモードにおける表示画面例図であり、図６と共通する部分には同一符号を付けている。図２において、ソフトキー領域Ｂの一画には、予測実行キーＢ２が設けられている。
【００２９】
図２（Ａ）に示すように、表示画面の波形表示領域Ａにはカーソル（本実施例では垂直方向にＴ１とＴ２の２本）が前回設定した位置に表示され、ソフトキー領域Ｂにはカーソルモード画面が表示され、設定値表示領域Ｃには選択されているカーソルの情報が表示されている。
【００３０】
使用者は、測定にあたり、以下のような操作を行い、これらカーソルＴ１とＴ２を図２（Ｂ）に示すように測定したい位置に移動させる。
１）移動させたいカーソルを選択
２）予測実行キーＢ２を操作
【００３１】
まず、移動させたいカーソルの選択にあたっては、ソフトキー領域Ｂに設けられているカーソル選択キーＢ１を操作して所望のカーソルＴ１またはＴ２を指定する。カーソル選択キーＢ１には、それぞれのカーソルＴ１およびＴ２の現在位置が目盛単位ｄｉｖの値で表示されるとともに選択されたカーソルＴ１またはＴ２のロータリーノブマークが反転表示され、さらに選択されたカーソルＴ１またはＴ２の現在位置の値のうち変更対象として設定されている桁が反転表示されている。
【００３２】
図２（Ａ）はカーソルＴ１を選択した状態を示し、設定値表示領域ＣにはカーソルＴ１を選択していることが表示されるとともに、カーソルＴ１の現在位置の値「−４．００」と変更対象として設定されている「小数点１桁目：０」が反転表示されている。図２（Ｂ）はカーソルＴ２を選択した状態を示し、設定値表示領域ＣにはカーソルＴ２を選択していることが表示されるとともに、カーソルＴ２の現在位置の値「−０．５３」と変更対象として設定されている「小数点２桁目：３」が反転表示されている。
【００３３】
次に、ソフトキー領域Ｂに設けられている予測実行キーＢ２を操作する。これにより、カーソルＴ１またはＴ２として、図２（Ｂ）に示すようにそれぞれ操作予測部１１が求めたカーソルの位置データに基づきカーソル生成部９ｆが生成したカーソルが表示される。すなわち、カーソルＴ１は波形Ｗ１の立ち上がりエッジに移動した状態で表示され、カーソルＴ２は波形Ｗ２の立ち上がりエッジに移動した状態で表示される。
【００３４】
これらカーソルＴ１またはＴ２の位置を図２（Ｂ）の状態からさらに変更したい場合には、従来と同様に移動分解能を設定した後、フロントパネル部のロータリーノブ３を操作して、選択表示されているカーソルＴ１またはＴ２を設定された分解能で所望の方向の所望の位置に移動させる。
【００３５】
このように構成することにより、使用者がカーソルを移動させるのにあたっては、カーソルの移動距離が長い場合であっても、所望のカーソルを選択して予測実行キーＢ２を操作するだけでよく、操作時間を大幅に削減できる。
また、部品を追加しなくてもよいので、コストアップにはならない。
【００３６】
図３は本発明の他の実施例を示す構成図であり、図２のソフトキー領域Ｂの予測実行キーＢ２に代えて波形表示装置のフロントパネル部に設けられているジョグシャトル１５を用いる例を示している。ジョグシャトル１５は、そのシャトルリングを回すことによりその角度に応じて変化量が変わるものであり、そのシャトルリングを最大に回したときにカーソルが操作予測部１１で求めたカーソルの予測位置にジャンプするように設定する。
【００３７】
これにより、図２の予測実行キーＢ２の操作と同じ効果を得ることができる。
【００３８】
図４も本発明の他の実施例を示す表示画面例であり、図６と共通する部分には同一符号を付けている。使用者が図示しない波形表示装置のフロントパネル部におけるズームキーを押して時間軸を拡大するズームモードをオンにすると、図４（Ａ）に示すように、表示画面の波形表示領域Ａの上部領域には全体波形ＷＷと拡大領域指定フレームＺＦが前回設定した位置に表示され、下部領域には拡大領域指定フレームＺＦで指定された部分の前回設定された拡大率での拡大波形ＺＷが表示されている。なお、図４（Ａ）の例では、拡大領域指定フレームＺＦで指定された部分はベース部分のみであることから、下部領域には時間軸が拡大されたベース部分が表示されている。ソフトキー領域Ｂにはズームモード画面が表示され、設定値表示領域Ｃには拡大領域指定フレームＺＦの時間軸上における位置情報が表示されている。
【００３９】
使用者は、図４（Ａ）の全体波形ＷＷの一部を拡大表示するのにあたり、図示しない予測実行キー(たとえば図３のジョグシャトルのシャトルリング)を操作する(最大に回す)。
【００４０】
これにより、拡大領域指定フレームＺＦは、操作予測部１１が求めた予測先にジャンプし、前回設定された条件でのズーム表示を行う。そこで、使用者は、測定対象に応じた所望のズーム表示条件に変更する。この結果、図４（Ｂ）に示すように、予測位置に拡大領域指定フレームＺＦは表示画面の波形表示領域Ａの上部領域に表示されている全体波形ＷＷの先頭部分に移動して表示され、下部領域には拡大領域指定フレームＺＦで指定された部分の拡大波形ＺＷが表示される。
【００４１】
このように構成することにより、使用者が拡大領域指定フレームＺＦを移動させるのにあたっては、拡大領域指定フレームＺＦの移動距離が長い場合であっても、予測実行キーを操作するだけでよく、操作時間を大幅に削減できる。
【００４２】
なお、データ取込制御部９に使用者ごとに表示モード別の操作頻度を学習する機能ブロックを設け、それらの学習結果を操作予測に反映させることにより、さらに使用者の用途との親和性の高い波形表示装置が提供できる。
【００４３】
以上説明したように、本発明によれば、予測実行キーを操作することにより、使用者の次の操作を予測してカーソルや拡大領域指定フレームを予測先に移動させることができ、操作性の優れた波形表示装置が実現できる。
【図面の簡単な説明】
【００４４】
【図１】本発明の一実施例を示すブロック図である。
【図２】本発明のカーソルモードにおける表示画面例図である。
【図３】本発明の他の実施例を示す構成図である。
【図４】本発明のズーム表示モードにおける表示画面例である。
【図５】従来の波形表示装置のフロントパネル部におけるカーソル操作機構の一例を示す構成図である。
【図６】従来の波形表示装置における表示画面例図である。
【符号の説明】
【００４５】
４  入力端子
５  入力部
６  Ａ／Ｄ変換器
７  トリガ生成部
８  フロント制御部
９  データ取込制御部
１０  データメモリ
１１  操作予測部
１２  表示制御部
１３  表示メモリ
１４  表示部
【図１】
2009109283.tif 000003
【図３】
2009109283.tif 000004
【図５】
2009109283.tif 000005
【図２】
2009109283.tif 000006
【図４】
2009109283.tif 000007
【図６】
2009109283.tif 000008